【手続補正書】
【提出日】平成20年11月6日(2008.11.6)
【手続補正１】
【補正対象書類名】特許請求の範囲
【補正対象項目名】全文
【補正方法】変更
【補正の内容】
【特許請求の範囲】
【請求項１】
エラストマー体へと硬化することができる湿分硬化性組成物であって、
（ａ）希釈ポリマーであって、
（ｉ）式
Ｘ−Ａ−Ｘ１
（式中、Ｘ及びＸ１は独立して、１つの基につき１つ又は複数の縮合性置換基を含有するシリル基から選択され、Ａは、少なくとも１３２０００の数平均分子量（Ｍｎ）と、少なくとも１８００の重合度とを有するポリマー鎖である)
のケイ素含有ポリマーと、
（ｉｉ）有機増量剤及び／又は有機可塑剤と
を含み、該有機増量剤及び／又は該有機可塑剤の存在下で重合することによって得られる、希釈ポリマーと、
（ｂ）該希釈ポリマー中の該縮合性基と反応性である基を少なくとも２つ含む適切な架橋剤と、
（ｃ）適切な縮合触媒と、任意に
（ｅ）１つ又は複数の充填剤と
を含む、湿分硬化性組成物。
【請求項２】
Ａがシロキサンポリマー鎖、有機ポリマー鎖、シロキサンコポリマー鎖又はシロキサン／有機ブロックコポリマー鎖であることを特徴とする、請求項１に記載の湿分硬化性組成物。
【請求項３】
Ｘ１又はＸが、−Ｓｉ（ＯＨ）３、−（Ｒａ）Ｓｉ（ＯＨ）２、−（Ｒａ）２ＳｉＯＨ、−ＲａＳｉ（ＯＲｂ）２、−Ｓｉ（ＯＲｂ）３、−Ｒａ２ＳｉＯＲｂ、又は−Ｒａ２Ｓｉ−Ｒｃ−ＳｉＲｄｐ（ＯＲｂ）３−ｐ（式中、Ｒａはそれぞれ独立して、特に１〜８個の炭素原子を有するアルキル基を示し、Ｒｂ及びＲｄ基はそれぞれ独立して、アルキル基又はアルコキシ基であり、ここで該アルキル基は適宜最大６個の炭素原子を有し、Ｒｃは、最大６個のケイ素原子を有する１つ又は複数のシロキサンスペーサーが介在し得る二価の炭化水素基であり、ｐは０、１又は２の値を有する）等の、ヒドロキシル末端置換基又は加水分解性置換基を含むシリル基であることを特徴とする、請求項１又は２に記載の湿分硬化性組成物。
【請求項４】
前記増量剤及び／又は可塑剤が、
トリアルキルシリル末端ポリジメチルシロキサン、
ポリイソブチレン（ＰＩＢ）、
ポリアルキルベンゼンのリン酸エステル、
脂肪族モノカルボン酸エステルの線状及び／又は分枝状アルキルベンゼン
の群の１つ又は複数から選択される、請求項１〜３のいずれか１項に記載の湿分硬化性組成物。
【請求項５】
前記増量剤が、１２〜２５個の炭素原子を含有する線状又は分枝状アルケン又はこれらの混合物等の線状又は分枝状モノ不飽和炭化水素、並びに／又は線状（ｎ−パラフィン系）鉱油、分枝状（イソパラフィン系）鉱油及び／若しくは環状（ナフテン系）鉱油及びこれらの混合物を含む鉱油留分を含む群の１つ又は複数から選択される、請求項１〜３のいずれか１項に記載の湿分硬化性組成物。
【請求項６】
前記架橋剤が、アシルオキシ基、ケトキシミノ基を含有する１つ又は複数のシラン又はシロキサンであり、前記触媒がスズ触媒である、請求項１〜５のいずれか１項に記載の湿分硬化性組成物。
【請求項７】
前記架橋剤が、アルコキシ基及びアルケニルオキシ基を含有する１つ又は複数のシラン又はシロキサンであり、前記触媒が、チタネート又はジルコネート、若しくはキレート化チタネート又はキレート化ジルコネートである、請求項１〜５のいずれか１項に記載の湿分硬化性組成物。
【請求項８】
前記湿分硬化性組成物が、高表面積ヒュームドシリカ、沈降シリカ及び炭酸カルシウム等の１つ又は複数の微細強化充填剤、並びに／又は破砕石英、珪藻土、硫酸バリウム、酸化鉄、二酸化チタン、カーボンブラック、タルク若しくはウォラストナイト等の強化充填剤を含む充填剤材料を含有する、請求項１〜７のいずれか１項に記載の湿分硬化性組成物。
【請求項９】
前記希釈ポリマーが、以下の経路：
（ｉ）縮合、
（ｉｉ）開環／平衡、
（ｉｉｉ）重付加、及び
（ｉｖ）鎖延長
の１つを介して、前記増量剤及び／又は前記可塑剤における重合によって得られ、前記重合経路により得られる必要とされるポリマーが、エンドキャッピングされて、前記必要とされる加水分解性末端基を付与する、請求項１〜８のいずれか１項に記載の湿分硬化性組成物。
【請求項１０】
請求項１〜７のいずれか１項に記載の組成物を含む、ジョイント用シーラント、接着剤、成形体、コーティング及び流し込みガスケット。
【請求項１１】
前記希釈オルガノポリシロキサンが、請求項１〜８のいずれか１項に記載の方法に従って製造される、請求項１０に記載のシーラント組成物。
【請求項１２】
２つのユニット間の空間を密封する方法であって、
請求項１〜１０のいずれか１項に記載の組成物を塗布すること、及び
前記組成物を硬化させるか、又は前記組成物の硬化を可能にすること
を含む、２つのユニット間の空間を密封する方法。
【請求項１３】
シーラントとしての、請求項１〜１０のいずれか１項に記載の組成物の使用。
【手続補正２】
【補正対象書類名】明細書
【補正対象項目名】００３５
【補正方法】変更
【補正の内容】
【００３５】
しかしながら、好ましくは、Ｘ１又はＸ２は、−Ｓｉ（ＯＨ）３、−（Ｒａ）Ｓｉ（ＯＨ）２、−（Ｒａ）２ＳｉＯＨ、−ＲａＳｉ（ＯＲｂ）２、−Ｓｉ（ＯＲｂ）３、−Ｒａ２ＳｉＯＲｂ、又は−Ｒａ２Ｓｉ−Ｒｃ−ＳｉＲｄｐ（ＯＲｂ）３−ｐ（式中、Ｒａはそれぞれ独立して、一価のヒドロカルビル基、例えば、特に１〜８個の炭素原子を有するアルキル基（好ましくはメチル基）を示し、Ｒｂ及びＲｄ基はそれぞれ独立して、アルキル基又はアルコキシ基であり、ここでアルキル基は適宜最大６個の炭素原子を有し、Ｒｃは、最大６個のケイ素原子を有する１つ又は複数のシロキサンスペーサーが介在し得る二価の炭化水素基であり、ｐは０、１又は２の値を有する）等の、ヒドロキシル末端置換基又は加水分解性置換基を含むシリル基である。適宜、Ｘ１及び／又はＸ２は、水分の存在下において加水分解性の基である。
【手続補正３】
【補正対象書類名】明細書
【補正対象項目名】００９７
【補正方法】変更
【補正の内容】
【００９７】
Ａがオルガノシロキサン鎖である場合、重合プロセスのための好ましい方法は、上記式（２）（式中、Ｒ５及び下付き文字ｓは上記の通りである）の線状及び／又は分枝状オルガノポリシロキサンの重合である。重合のための出発材料は好ましくは、式Ｒ’’３ＳｉＯ１／２（式中、Ｒ’’はそれぞれ同じであるか又は異なり、Ｒ５又は縮合性基である）のシロキサン基で末端封鎖される実質的に線状の材料である。縮合性末端基の任意の適切な組み合わせは、本発明の重合プロセスに用いることができる（すなわち、選択される縮合性基は、重合のために共に縮合反応を起こせるものでなければならない）。好ましくは、少なくとも１つのＲ’’基はヒドロキシル基又は加水分解性基である。一般的には、モノマー／オリゴマー末端基として用いられる縮合性基は、−Ｓｉ（ＯＨ）３、−（Ｒａ）Ｓｉ（ＯＨ）２、−（Ｒａ）２ＳｉＯＨ、−ＲａＳｉ（ＯＲｂ）２、−Ｓｉ（ＯＲｂ）３、−Ｒａ２ＳｉＯＲｂ、又は−Ｒａ２Ｓｉ−Ｒｃ−ＳｉＲｄｐ（ＯＲｂ）３−ｐ（式中、Ｒａ、Ｒｂ、Ｒｄ、Ｒｃ、及びｐはそれぞれ上記の通りである）等の、ヒドロキシル末端置換基又は加水分解性置換基を含むシリル基である。
【手続補正４】
【補正対象書類名】明細書
【補正対象項目名】０１３０
【補正方法】変更
【補正の内容】
【０１３０】
末端封鎖剤及び必要であれば続いて起こる反応を用いて導入され得る加水分解性基としては、−Ｓｉ（ＯＨ）３、−（Ｒａ）Ｓｉ（ＯＨ）２、−（Ｒａ）２ＳｉＯＨ、−ＲａＳｉ（ＯＲｂ）２、−Ｓｉ（ＯＲｂ）３、−Ｒａ２ＳｉＯＲｂ、又は−Ｒａ２Ｓｉ−Ｒｃ−ＳｉＲｄｐ（ＯＲｂ）３−ｐ（式中、Ｒａはそれぞれ独立して、一価のヒドロカルビル基、例えば、特に１〜８個の炭素原子を有するアルキル基を示し（好ましくはメチルである）、Ｒｂ及びＲｄ基はそれぞれ独立して、アルキル基又はアルコキシ基であり、ここでアルキル基は適宜最大６個の炭素原子を有し、Ｒｃは、最大６個のケイ素原子を有する１つ又は複数のシロキサンスペーサーが介在し得る二価の炭化水素基であり、ｐは０、１又は２の値を有する）が挙げられる。